(57)【特許請求の範囲】
【請求項１】
複数段のトレー(1,2)を連結し、これらのトレー(1,2)を相対移動させることにより、トレー(1,2)が上下に並んで吊り下げられるハンガー状態の陳列と、階段状に並んで設置されるカウンター状態の陳列とに兼用可能な陳列具において、上段側トレー(1)の後壁(13)の下端と、下段側トレー(2)の後壁(23)の上端とを後中板(4)を介して繋ぐことにより、背壁(3)を形成して、上下のトレー(1,2)を一体化し、上段側トレー(1)の後部に下方へ向かう脚材(31)を取り付けておき、脚材(31)の内部に倒立門形の切込(31c)を入れ、下段側トレー(2)の後壁(23)に揺動自在の支持板(32)を取り付け、その先端に突設した差込片(32b)を脚材(31)の切込(31c)に差し込み、ハンガー状態では、背壁(3)を垂直に伸ばし、支持板(32)を上方へ向けて後中板(4)の後方に重ね、その後方に脚材(31)を重ねて、上段側トレー(31)の後部に差込片(32b)を差し込むことにより、上下のトレー(1,2)の連結部分を補強し、カウンター状態では、差込片(32b)を上段側トレー(1)の後部から引き抜き、後中板(4)を下段側トレー(2)から後方へ折り曲げ、上段側トレー(1)を後中板(4)の上に載せ、支持板(32)を後方へ揺動させ、差込片(32b)を脚材(31)の切込(31c)の下端まで移動させて、脚材(31)を固定した状態で、下方へ突き出させて接地させることにより、上段側トレー(1)を支持するようにしたことを特徴とする陳列具。
【発明の詳細な説明】
【技術分野】
【０００１】
この発明は、店頭に吊下又は設置してトレーに乗せた商品を陳列する陳列具に関するものである。
【背景技術】
【０００２】
例えば、下記特許文献１には、上下のトレーを背壁を介して連結し、これらのトレーを背壁の折り曲げに伴い、相対的に回転させつつ移動させることにより、トレーが上下に並んで吊り下げられるハンガー状態の陳列と、階段状に並んで設置されるカウンター状態の陳列とに兼用可能とした紙製の陳列具が記載されている。
【０００３】
このカウンター状態では、背壁の下部を下段側トレーの後壁から分離して接地させ、上段側トレーの底壁が背壁の下部から浮き上がった状態とし、上段側トレーの前端下部に設けた差込穴に、下段側トレーの後壁上部に設けた突起を差し込んで、上段側トレーを定位置に保持するようになっている。
【０００４】
【特許文献１】実開平３−９４１５６号公報
【発明の開示】
【発明が解決しようとする課題】
【０００５】
しかしながら、上記のような陳列具では、ハンガー状態の陳列とカウンター状態の陳列との転換に手間がかかり、また、製造に際し、別体となった上下のトレーを背壁で接続するのに手間がかかるという問題もある。
【０００６】
そこで、この発明は、陳列状態を簡単に転換することができ、製造時の作業性にも優れた陳列具を提供することを課題とする。
【課題を解決するための手段】
【０００７】
上記課題を解決するため、この発明は、複数段のトレーを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの後壁の下端と、下段側トレーの後壁の上端とを後中板を介して繋ぐことにより、背壁を形成して、上下のトレーを一体化し、上段側トレーの後部に下方へ向かう脚材を取り付けておき、脚材の内部に倒立門形の切込を入れ、下段側トレーの後壁に揺動自在の支持板を取り付け、その先端に突設した差込片を脚材の切込に差し込み、ハンガー状態では、背壁を垂直に伸ばし、支持板を上方へ向けて後中板の後方に重ね、その後方に脚材を重ねて、上段側トレーの後部に差込片を差し込むことにより、上下のトレーの連結部分を補強し、カウンター状態では、差込片を上段側トレーの後部から引き抜き、後中板を下段側トレーから後方へ折り曲げ、上段側トレーを後中板の上に載せ、支持板を後方へ揺動させ、差込片を脚材の切込の下端まで移動させて、脚材を固定した状態で、下方へ突き出させて接地させることにより、上段側トレーを支持するようにしたのである。
【発明の効果】
【０００８】
このように構成した陳列具では、後中板の部分で背壁を屈伸させて、脚材を出没させるだけで、ハンガー状態とカウンター状態との転換を行うことができ、店頭でのディスプレイ作業を迅速に行うことができる。また、カウンター状態では、上段側トレーの底壁が後中板で全体的に支持されるので、安定した状態で商品を陳列することができる。
【０００９】
また、製造に際し、一体となった上下のトレーに脚材等を取り付けるだけでよく、作業性に優れ、低コストで製造することができる。
【発明を実施するための最良の形態】
【００１０】
まず、この発明の実施形態を図１乃至図３に基づいて説明する。
【００１１】
この陳列具は、図１に示すような板紙製のブランクから成り、その本体は、上段側トレー１と、下段側トレー２とが背壁３を介して繋がれた構成となっている。また、本体とは別に脚材３１及び支持板３２が用意される。
【００１２】
上段側トレー１の部分では、前壁１１の両側に側壁１２が、一方の側壁１２の外側に背壁３の上部をなす後壁１３がそれぞれ連設され、後壁１３の外側に継代１４が連設されている。前壁１１の上端には内前板１１ａ及び底壁１５が順次連設され、底壁１５の両側には側当片１５ａが、先端には後当片１５ｂ，１５ｃがそれぞれ連設されている。
【００１３】
側壁１２の下部は前壁１１の下端よりも下方へ少し延長され、後壁１３は側壁１２の上端よりも上方へ延長されている。後壁１３の上端には後重板１３ａが連設され、後壁１３及び後重板１３ａには、その境界を挟んで両側部に紐穴１３ｂが対称に設けられている。また、後壁１３には、前壁１１の下端位置に対応して、門形の切込により舌片１３ｃが設けられている。
【００１４】
下段側トレー２の部分では、前壁２１の両側に側壁２２が、一方の側壁２２の外側に背壁３の下部をなす後壁２３がそれぞれ連設され、後壁２３の外側に継代２４が連設されている。前壁２１の上端には内前板２１ａ及び底壁２５が順次連設され、前壁２１、各側壁２２及び後壁２３の下端には外底板２５ａ，２５ｂ，２５ｃがそれぞれ連設されている。
【００１５】
そして、上段側トレー１の後壁１３の下端と、下段側トレー２の後壁２３上端とは、後中板４を介して繋がれ、トレー１，２は、背壁３の部分で繋がった一体のブランクから成るものとされている。
【００１６】
一方、脚材３１の上端部及び下端部には、それぞれ糊代３１ａ及び折重片３１ｂが設けられ、脚材３１の内部には倒立門形の切込３１ｃが入れられている。切込３１ｃの内側には舌片が形成され、その下端には係止突起３１ｄが設けられている。
【００１７】
また、支持板３２の下端部には糊代３２ａが設けられ、その上端には、肩部を介して幅が狭くなった差込片３２ｂが突設されている。差込片３２ｂの基部には、係止穴３２ｃが設けられている。
【００１８】
上記ブランクから陳列具を組み立てるには、図２に示すように、本体のトレー１において、前壁１１、一対の側壁１２及び後壁１３を角筒状に折り曲げて、継代１４を反対側の側壁１２に貼り付け、また、後重板１３ａを後壁１３の前側へ折り曲げて貼り付ける。
【００１９】
次に、内前板１１ａを前壁１１の内側に沿うように下方へ折り曲げ、底壁１５を後方へ折り曲げて、側当片１５ａを側壁１２の内側に沿わせるように上方へ折り曲げつつ、後当片１５ｂ，１５ｃを上方及び下方へ順次折り曲げて、その間に舌片１３ｃを挟み込む。
【００２０】
また、トレー２において、一対の側壁２２及び後壁２３を角筒状に折り曲げて、継代２４を反対側の側壁２２に貼り付け、外底板２５ａ，２５ｂ，２５ｃを組み合わせ、内前板２１ａを前壁２１の内側に沿うように下方へ折り曲げ、底壁２５を後方へ折り曲げて、外底板２５ａ，２５ｂ，２５ｃの上に重ねる。
【００２１】
そして、脚材３１の糊代３１ａをトレー１の下部に沿って後中板４の背面に貼り付け、折重片３１ｂを折り曲げてその上方に貼り合わせることにより、脚材３１の下端部を補強する。また、支持板３２の糊代３２ａをトレー２の後壁２３の背面中間部に貼り付け、差込片３２ｂを脚材３１の切込３１ｃに差し込んでおく。
【００２２】
上記のように組み立てた陳列具では、紐穴１３ｂに紐１６を挿通し、トレー１，２が上下に並んで吊り下げられるハンガー状態で商品を陳列する際、後中板４と後壁１３，２３とが同一面となるように背壁３を垂直に伸ばして、背壁３の後方に支持板３２を上方へ向けて重ね、その後方に脚材３１を重ねる。
【００２３】
このハンガー状態においては、上段側トレー１の後当片１５ｂ，１５ｃの間に、支持板３２の差込片３２ｂを差し込んでおくと、下段側トレー２の揺動が阻止されるので、トレー２に商品を収納したとき、トレー２が前のめりになる現象が防止される。
【００２４】
また、この状態から、トレー１，２が階段状に並んで設置されるカウンター状態に転換するには、差込片３２ｂを上段側トレー１の後当片１５ｂ，１５ｃの間から引き抜き、図３に示すように、後中板４を下段側トレー２から後方へ折り曲げて、上段側トレー１を下降させ、支持板３２の揺動に伴い、差込片３２ｂを切込３１ｃの下端まで移動させて、係止突起３１ｄを係止穴３２ｃに係合させる。
【００２５】
このカウンター状態においては、上段側トレー１の底壁１５が後中板４の上に載置されて、全体的に支持されると共に、両側壁１２がトレー２を抱き込み、トレー１の後部から脚材３１が下方へ突き出して、その揺動が支持板３２で阻止されるので、トレー１に重量のある商品を載せても、トレー１がぐらつくことなく、安定して支持される。なお、トレー１の底面を後中板４に両面テープで貼り付けておくと、さらに安定性が向上する。
【００２６】
このように、上記陳列具では、後中板４の部分で背壁３を屈伸させて、脚材３１を出没させるだけで、ハンガー状態とカウンター状態との転換を行うことができるので、店頭でのディスプレイ作業を迅速に行うことができ、トレー１，２が安定した状態で商品を陳列することができる。
【００２７】
また、製造に際し、一体となった上下のトレー１，２に脚材３１等を取り付けるだけでよく、作業性に優れ、低コストで製造することができる。
【００２８】
なお、上記実施形態では、２段のトレーを備えたものを示したが、３段以上のトレーを備えた陳列具においても、上下に並ぶトレーの後壁が後中板４を介して繋がれた同様の構成を採用することができる。この場合、上方に位置するトレーに取り付ける脚材３１ほど、長いものとする必要がある。
【図面の簡単な説明】
【００２９】
【図１】この発明の実施形態に係る陳列具のブランクを示す図
【図２】同上のハンガー状態を示す斜視図
【図３】同上のカウンター状態を示す斜視図
【符号の説明】
【００３０】
１，２  トレー
３  背壁
３ａ  係止片
４  後中板
１１，２１  前壁
１２，２２  側壁
１３，２３  後壁
１４，２４  継代
１５，２５  底壁
３１  脚材
３１ｃ  切込
３２  支持板
３２ｂ  差込片
【図１】
0004785387.tif 000002
【図２】
0004785387.tif 000003
【図３】
0004785387.tif 000004